(57)【要約】【課題】梱包状態や陳列状態を小さくでき、使用時に不用意に動くことがなく、載置テーブルに付着した汚れを簡単にきれいに除去することができるキッチン用のスライドテーブルを提供する。【解決手段】スライドテーブル１はレンジ台３等の天板上に固定状態で設置される支承ボックス９と、該支承ボックス９に対して格納引出し自在に設けられる載置テーブル７とを備え、載置テーブル７には抜け止め用の係止突起２１が設けられていて、該係止突起２１は載置テーブル７の付け根部分１９を軽く下方に押し下げることによって係止状態が解除されて前方に載置テーブル７を引き抜くことができるように構成されている。またスライドテーブル１は幅狭の２組のスライドテーブルユニット１１、１３を組み合わせることによって構成されている。【選択図】        図２
2006320520.tif 000002
【特許請求の範囲】
【請求項１】
レンジ台等の天板上に載置されレンジ等を載せる支承台としての機能と、物品を載置する載置台としての機能を備えた引出し式のスライドテーブルにおいて、該スライドテーブルはレンジ台等の天板上に固定状態で設置される支承ボックスと、該支承ボックスに対して格納引出し自在に設けられる載置テーブルとを備えることによって構成されており、このうち載置テーブルには、載置テーブルを前方に引き出した時の抜け止め用の係止突起が設けられていて、該係止突起は載置テーブルを一杯に引き出した状態で載置テーブルの付け根部分を軽く下方に押し下げることによって係止状態が解除されて前方に載置テーブルを引き抜くことができるように構成されていることを特徴とするスライドテーブル。
【請求項２】
請求項１に記載したスライドテーブルにおいて、前記係止突起には格納方向側の端辺が低くなるように傾斜した装着案内作用面と、該装着案内作用面の引出し方向側の端辺に上端が接続され下方に向けてほぼ垂直に形成されている抜け止め作用面とが設けられていることを特徴とするスライドテーブル。
【請求項３】
請求項１または２に記載したスライドテーブルにおいて、該スライドテーブルは幅狭のスライドテーブルユニットを２組、幅方向に並設することによって使用されるセパレート構造を採用していることを特徴とするスライドテーブル。
【請求項４】
請求項３に記載したスライドテーブルにおいて、前記スライドテーブルユニットの各々には、少なくとも四隅にレンジ台等の天板に固定する固定手段が設けられていることを特徴とするスライドテーブル。
【発明の詳細な説明】
【技術分野】
【０００１】
本発明は、レンジ台等の天板上に載置されレンジ等を載せる支承台としての機能と、調理や配膳に使用する物品を載置する載置テーブルとしての機能を備えた引出し式のスライドテーブルに関するものである。
【背景技術】
【０００２】
この種の従来のスライドテーブルは、レンジの幅寸法とほぼ同一の幅寸法を有する幅広の単一のスライドテーブルユニットによって構成されている。
【０００３】
またスライドテーブルユニットを構成する支承ボックスの底面前方寄りの左右には粘着マットが２枚設けられている。これら２枚の粘着マットによって支承ボックスをレンジ台等の天板に固定し、載置テーブルを出し入れする際に生ずる力によって支承ボックスが平面方向へ傾くのを防止していた。
またこのようなスライドテーブルにおける載置テーブルには載置テーブルを前方に引き出した時の抜け止め用の係止突起が設けられている。この係止突起は載置テーブルの底面側から上方に突出するように取り付けられたネジ部材によって構成されていた。
【０００４】
しかし、このような幅広のスライドテーブルは、梱包形態及び陳列形態においても当然幅寸法が大きくなるため場所をとり嵩張るため、梱包効率及び陳列効率が悪いという問題があった。
この場合スライドテーブルの幅寸法を半分程度にすれば梱包効率及び陳列効率を大幅に改善できるが、スライドテーブルが幅狭になると粘着マットのみによる固定では支承ボックスの固定が不十分になる。従って、繰り返し載置テーブルを出し入れする際に生じる力によって、支承ボックスが平面方向へ傾斜するように動いてしまうおそれがある。
【０００５】
また載置テーブルにはどうしても食材等の滓が付着するが、抜け止め用の係止突起の存在により載置テーブルを支承ボックスから引き抜くことができないため、載置テーブルを清掃し難いばかりか、基端部の汚れを除去することは殆ど不可能である。
【発明の開示】
【発明が解決しようとする課題】
【０００６】
本発明は、上記従来の問題点に着目してなされたものであって、梱包形態や陳列形態を小さくでき、且つ不用意に動いてしまうことがなく、更に載置テーブルの基端部の汚れを簡単に除去することができるスライドテーブルを提供することを目的とするものである。
【課題を解決するための手段】
【０００７】
上記課題を解決するために請求項１に記載した発明は、レンジ台等の天板上に載置されレンジ等を載せる支承台としての機能と、調理や配膳に使用する物品を載置する載置台としての機能を備えた引出し式のスライドテーブルにおいて、該スライドテーブルはレンジ台等の天板上に固定状態で設置される支承ボックスと、該支承ボックスに対して格納引出し自在に設けられる載置テーブルとを備えることによって構成されており、このうち載置テーブルには、載置テーブルを前方に引き出した時の抜け止め用の係止突起が設けられていて、該係止突起は載置テーブルを一杯に引き出した状態で載置テーブルの付け根部分を押し下げることによって係止状態が解除されて前方に載置テーブルを引き抜くことができるように構成されていることを特徴とするスライドテーブルである。
【０００８】
請求項２に記載した発明は、請求項１に記載したスライドテーブルにおいて、前記係止突起には格納方向側の端辺が低くなるように傾斜した装着案内作用面と、該装着案内作用面の引出し方向側の端辺に上端が接続され下方に向けてほぼ垂直に形成されている抜け止め作用面とが設けられていることを特徴とするスライドテーブルである。
【０００９】
請求項３に記載した発明は、請求項１または２に記載したスライドテーブルにおいて、該スライドテーブルは幅狭のスライドテーブルユニットを２組、幅方向に並設することによって使用されるセパレート構造を採用していることを特徴とするスライドテーブルである。
【００１０】
請求項４に記載した発明は、請求項３に記載したスライドテーブルにおいて、前記スライドテーブルユニットの各々には、少なくとも四隅にレンジ台等の天板に固定する固定手段が設けられていることを特徴とするスライドテーブルである。
【発明の効果】
【００１１】
本発明のスライドテーブルによれば、載置テーブルを支承ボックスから引き抜くことができるから、載置テーブルの清掃がし易くなり、特に載置テーブルの基端部に付着した汚れの除去が容易になる。
係止突起に設けた装着案内作用面の存在により載置テーブルを支承ボックスに挿し込むだけで、載置テーブルの付け根部分が下方に撓んで載置テーブルの支承ボックスへの装着が簡単に行われる。また載置テーブルを一旦装着した後は抜け止め作用面の存在により載置テーブルが支承ボックスから抜け落ちるのを防止できる。
【００１２】
スライドテーブルを幅狭の２組のスライドテーブルユニットを組み合わせて使用することにより、梱包ないし陳列時にはこれら２組のスライドテーブルユニットを重ね合わせることで梱包形態ないし陳列形態をコンパクトにでき、梱包効率ないし陳列効率を大幅に向上させることができる。
また使用時には２組のスライドテーブルユニットを幅方向に並設することによってレンジ等を確実に支承でき、各々の支承ボックスの少なくとも四隅に設けた固定手段の存在により、載置テーブルの出し入れを繰り返してもスライドテーブルが動いてしまうのを確実に防止できる。
【発明を実施するための最良の形態】
【００１３】
以下、本願発明に係るスライドテーブル１を実施するための最良の形態について図面に基づいて具体的に説明する。
実施の形態ではレンジ台３の天板と、レンジ台３上に載置される載置式のレンジ５との間に設けられる引出し式のスライドテーブル１を例に採って説明する。
また本明細書で使用する「格納方向」とは載置テーブル７を支承ボックス９内に格納する載置テーブル７を後方に移動させる移動方向を意味し、「引出し方向」とは載置テーブル７を支承ボックス９内から引き出す載置テーブル７を前方に移動させる移動方向を意味する。
【００１４】
スライドテーブル１はレンジ台３の天板上に載置され、レンジ５を載せる支承台としての機能と、調理や配膳に使用する物品Ａを載置する載置台としての機能を備えている。
レンジ台３の天板上に固定状態で設置される支承ボックス９と、該支承ボックス９に対して格納引出し自在に可動状態で設けられる載置テーブル７とを備えることによってスライドテーブル１は構成されている。
またスライドテーブル１は幅狭のスライドテーブルユニット１１、１３を２組、幅方向に並設することによって使用されるセパレート構造を採用しており、スライドテーブルユニット１１、１３のそれぞれには上記載置テーブル７と支承ボックス９が個別に設けられている。
【００１５】
載置テーブル７は上記物品Ａ等を直接載置する載置板１５と、該載置板１５の引出し方向側の端部に設けられている引き手部１７と、載置板１５の格納方向側の端部である付け根部分１９の幅方向の中央に設けられている係止突起２１とを備えている。
載置板１５は一例として薄肉鋼板によって形成された矩形平板状の部材である。載置板１５の左右の側縁と後縁は下方に９０°折り曲げられており載置板１５の剛性が高められている。
【００１６】
載置板１５は撓み変形が可能な材料及び構造によって構成されていて、後述する係止突起２１を取り付けるための角穴状の取付開口２３が載置板１５の付け根部分１９の幅方向の中央に設けられている。
【００１７】
引き手部１７はプラスチック材料によって形成されている。引き手部１７は上記載置板１５より僅かに幅広で後述する支承ボックス９とほぼ同一の幅寸法を有し、奥行寸法の短い中空の略角棒状の部材である。引き手部１７の中央部は前方に庇状に湾曲して張り出しており、その庇状に張り出した部分の下部には載置テーブル７を出し入れする際の指掛け部となる指掛け凹部２５が設けられている。
【００１８】
係止突起２１は図９及び図１０に示すような形状をした部材であり、プラスチック材料によって形成されている。係止突起２１は矩形平板状のベース板２７と、ベース板２７の上方に設けられる突起部２９と、ベース板２７の下方に設けられる係止爪３１とを備えている。
ベース板２７は載置テーブル７に形成されている取付開口２３より幾分大きめに形成されており、ベース板２７の周縁部が取付開口２３の周縁部上に係止される構造になっている。
【００１９】
係止突起２１は側面視略直角三角形状をした部材で、格納方向側の面が載置テーブル７の装着を案内する装着案内作用面３３、引出し方向側の面が載置テーブル７の不用意な脱落を防止する抜け止め作用面３５になっている。
装着案内作用面３３は格納方向側の端辺が低くなるように傾斜した面である。そして装着案内作用面３３は載置テーブル７を支承ボックス９に挿し込む際、支承ボックス９前面の折返し部３７の端辺に当接することで載置板１５を下方に撓ませて係止突起２１を折返し部３７の下を潜らせるようにして支承ボックス９内に入り込ませる。
【００２０】
抜け止め作用面３５は下方に向けてほぼ垂直に形成されている面である。抜け止め作用面３５の上端は装着案内作用面３３の引出し方向側の端辺に接続されている。抜け止め作用面３５は支承ボックス９に装着された載置テーブル７を手前に引き出した時、折返し部３７の内壁面に当接する。これにより引き出しを停止させ、載置テーブル７の引出し量を設定し、支承ボックス９からの脱落を防止する。
また係止爪３１は鉤状をした部材でベース板２７の前方側と後方側の底面に鉤部が外方に向くように２個設けられており、載置テーブル７に設けられている取付開口２３の前後の周縁部に係止される。
【００２１】
支承ボックス９は載置テーブル７より幅寸法及び奥行寸法が一回り大きな偏平な角箱状の部材である。また支承ボックス９の前面と底面は開口されており、前面開口の左右側部と上部に９０°内側に折り曲げられた折返し部３７が形成されている。
また支承ボックス９の側縁部は断面コの字状に内側に折り曲げられている。このコの字状に折り曲げられた内壁面が、載置テーブル７の下方に折り曲げられた左右の側縁の外壁面と先端部に摺接して、ガイドレールとして機能する。
【００２２】
支承ボックス９の底面の四隅には、吸盤３９または粘着マット４１が配置されている。即ち、支承ボックス９の後方側左右の隅に吸盤３９が設けられ、前方側左右の隅に粘着マット４１が設けられている。これら吸盤３９と粘着マット４１によって固定手段が構成されている。
従ってスライドテーブルユニット１１、１３はそれぞれ４点で支持されており、吸盤３９の強力な吸着力と相俟って左右のスライドテーブルユニット１１、１３における支承ボックス９は頑強にレンジ台３の天板上に固定されている。そのため繰り返し載置テーブル７を出し入れしても、支承ボックス９は平面方向へ傾斜するように動いたりしてしまうことはない。
【００２３】
次にこのようにして構成されるスライドテーブル１の設置、使用の手順と作動態様を（１）支承ボックス設置時と、（２）載置テーブル装着時と、（３）載置テーブル格納引出し時と、（４）載置テーブル取外し時とに分けて説明する。
（１）支承ボックス設置時（図１、３、７参照）
スライドテーブル１は梱包状態では図７（ｂ）に示すように２組のスライドテーブルユニット１１、１３が重ね合わされた状態で包装袋Ｐ等に収納されている。そしてスライドテーブル１を設置する場合には包装袋Ｐ等を破って包装袋Ｐ等からスライドテーブル１を取り出し、レンジ台３上の所定の位置に図７（ａ）に示すように２組のスライドテーブルユニット１１、１３のそれぞれの支承ボックス９を並設状態で載置する。
【００２４】
支承ボックス９を設置する位置が決まったら粘着マット４１に粘着面を被覆するためのシート等が貼られている場合にはそのシートを剥し、吸盤３９が設けられている部位の支承ボックス９の天板上面を下方に押して吸盤３９をレンジ台３の天板上に吸着させる。
【００２５】
（２）載置テーブル装着時（図１０（ａ）参照）
載置テーブル７を装着する場合には載置テーブル７の引き手部１７を手で持って載置板１５の後端側から支承ボックス９の前面開口に載置テーブル７を挿し込む。
載置テーブル７は支承ボックス９のコの字状に折り曲げられた内壁面に案内されながら格納方向側に移動する。
【００２６】
そして係止突起２１の装着案内作用面３３が支承ボックス９における上方の折返し部３７の下端縁に当接すると、図１０（ａ）に示すように載置板１５の付け根部分１９が下方に撓んで係止突起２１は装着案内作用面３３の傾斜に合わせて徐々に下方に移動する。
折返し部３７との当接位置が装着案内作用面３３の上端辺に達すると係止突起２１は折返し部３７との当接状態が解除され、載置板１５は当初の水平状態に戻り、係止突起２１は折返し部３７を潜り抜けるようにして上昇し、折返し部３７の裏側に至り載置テーブル７の支承ボックス９に対する装着が完了する。
【００２７】
（３）載置テーブル格納引出し時（図１、３、４、７（ａ）（ｂ）、１０（ｂ）参照）
支承ボックス９に装着された載置テーブル７を支承ボックス９内に格納する場合には、載置テーブル７の引き手部１７を手で持って格納方向に押し込むだけでよく、載置テーブル７は支承ボックス９のコの字状に折り曲げられた内壁面に案内されながら円滑に格納方向に移動し、引き手部１７の後面が折返し部３７に当接したところで格納状態となる。
【００２８】
一方、格納した載置テーブル７を使用する場合には、引き手部１７の指掛け凹部２５に指を掛けて手前に引き出す。これによって載置テーブル７は支承ボックス９のコの字状に折り曲げられた内壁面に案内されて円滑に引出し方向に移動し、図１０（ｂ）に示すように係止突起２１の抜け止め作用面３５が上方の折返し部３７の内壁面に当接した位置で載置テーブル７の引出し量が一杯になって停止する。
そして調理や配膳に使用する物品Ａ等を載置板１５上に載置して載置テーブル７を使用する。
【００２９】
（４）載置テーブル取外し時（図５、７（ｃ）、１０（ｃ）参照）
載置テーブル７を使用後、載置テーブル７に付着した汚れを拭き取ったり、洗浄したい場合には、支承ボックス９から載置テーブル７を取り外してから行う。
この場合には図１０（ｃ）に示すように係止突起２１が設けられている載置テーブル７の付け根部分１９を指で押し下げることによって載置板１５を下方に撓ませ係止突起２１を下方に移動させて折返し部３７との係止状態を解除する。
そしてこの状態で載置テーブル７を前方に引き抜くことによって載置テーブル７を支承ボックス９から取り外すことができる。
【００３０】
以上、本発明を実施するための最良の形態とその一例である実施の形態について詳述してきたが、具体的な構成は上述した構成に限られるものではなく、本発明の要旨を逸脱しない範囲内における設計の変更などがあっても本発明に含まれる。
例えば、本発明のスライドテーブル１はレンジ台３上に設置される他、システムキッチンの流し台あるいは調理台の天板上に設置することも可能である。
また、係止突起２１を上下動させる構成として載置板１５の撓み変形を利用するものの他、係止突起２１に突起部２９を常時上方に付勢する付勢バネ等を設けておき、この付勢バネの付勢力を利用して突起部２９を上下動させる構成を採用することも可能である。
【００３１】
更に、支承ボックス９の底面の四隅に、吸盤３９または粘着マット４１を配置するだけでなく、その他の部分に吸盤３９や粘着マット４１を設けてもよい。即ち、支承ボックス９の底面の少なくとも四隅に吸盤３９や粘着マット４１を設ける構成であればよい。
また吸盤３９や粘着マット４１を組み合わせるほか、吸盤３９単独で或いは粘着マット４１単独で使用してもよく、更に吸盤３９や粘着マット４１以外の固定手段を使用してもよい。
【産業上の利用可能性】
【００３２】
本発明は、レンジ台等の天板上に載置されレンジ等を載せる支承台としての機能と、調理や配膳に使用する物品を載置する載置台としての機能を備えた引出し式のスライドテーブルの製造分野等で利用でき、特にスライドテーブルの梱包形態や陳列形態を小さくしたい場合や載置テーブルに付着した汚れを簡単、且つきれいに除去したい場合等に利用できる。
【図面の簡単な説明】
【００３３】
【図１】本発明の実施の形態に係るスライドテーブルの使用状態を示す斜視図である。
【図２】本発明の実施の形態に係るスライドテーブルを示す分解斜視図である。
【図３】載置テーブルを格納した状態の本発明の実施の形態に係るスライドテーブルを示す平面図である。
【図４】載置テーブルを引き出した状態の本発明の実施の形態に係るスライドテーブルを示す平面図である。
【図５】載置テーブルを取り外した状態の本発明の実施の形態に係るスライドテーブルを示す平面図である。
【図６】載置テーブルを格納した状態の本発明の実施の形態に係るスライドテーブルを示す底面図である。
【図７】本発明の実施の形態に係るスライドテーブルの使用状態（ａ）と梱包状態（ｂ）を示す正面図である。
【図８】載置テーブルを格納した状態（ａ）と引き出した状態（ｂ）と取り外した状態（ｃ）の本発明の実施の形態に係るスライドテーブルを示す側面図である。
【図９】本発明の実施の形態に係るスライドテーブルにおける係止突起の取付状態を示す斜視図である。
【図１０】載置テーブル装着時（ａ）と載置テーブル引出し時（ｂ）と載置テーブル取外し時（ｃ）の本発明の実施の形態に係るスライドテーブルにおける係止突起周辺を拡大して示す側断面図である。
【符号の説明】
【００３４】
１  スライドテーブル                ３  レンジ台
５  レンジ                          ７  載置テーブル
９  支承ボックス                  １１  スライドテーブルユニット
１３  スライドテーブルユニット      １５  載置板
１７  引き手部                      １９  付け根部分
２１  係止突起                      ２３  取付開口
２５  指掛け凹部                    ２７  ベース板
２９  突起部                        ３１  係止爪
３３  装着案内作用面                ３５  抜け止め作用面
３７  折返し部                      ３９  吸盤
４１  粘着マット                      Ａ  物品
Ｐ  包装
【図１】
2006320520.tif 000003
【図２】
2006320520.tif 000004
【図３】
2006320520.tif 000005
【図４】
2006320520.tif 000006
【図５】
2006320520.tif 000007
【図６】
2006320520.tif 000008
【図７】
2006320520.tif 000009
【図８】
2006320520.tif 000010
【図９】
2006320520.tif 000011
【図１０】
2006320520.tif 000012